(57)【要約】  従来のキャップ付き容器のように、簡単な締結構造によりキャップと容器を締結しつつ、容器内部の密封性が十分に確保され、かつ、開封時においても、内容物が容器本体の開口部の外側に漏れ出るようなことがないことは勿論のこと、想定しないような大きな衝撃がキャップの開放方向に加わったとしてもキャップと容器本体の締結が維持されて内容物が漏れ出ないキャップ付容器を提供する。  口頭部の外周面に外側ねじが形成された容器本体と、内周面に前記外側ねじに螺合する内側ねじを形成して前記容器本体の口頭部にねじ嵌合により被冠、離脱されるキャップとからなり、前記キャップと前記容器本体で互いに係合するキャップ側環状凸条とからなるクリックストップを発揮する第１の締結手段と、前記容器本体に突設された複数の容器本体側凸条と、前記キャップに突設された複数のキャップ側凸条とからなるクリックストップを発揮する第２の締結手段を有する。
2015186153.tif 000002
【特許請求の範囲】
【請求項１】
口頭部の外周面に外側ねじが形成された容器本体と、内周面に前記外側ねじに螺合する内側ねじを形成して前記容器本体の口頭部にねじ嵌合により被冠、離脱されるキャップとからなり、前記キャップを容器本体の口頭部に被冠した際に前記容器本体における口頭部の開口端が前記キャップの頂部内面に密接するキャップ付き容器であって、
前記キャップの内周面に形成された内側ねじが所定の間隔及び角度で配置された内向き多条ねじであるととともに前記内側ねじに螺合する前記前記容器本体における口頭部の外周面に形成された外側ねじが前記内向き多条ねじに合わせて所定の間隔および角度で配置された上段および下段の二段の外向き多条ねじにより形成されており、前記キャップを前記容器本体の口頭部に被冠した際に前記キャップの内面に形成した互いに隣接する一対の外向き多条ねじが前記容器本体の口頭部の外面に形成された前記上下の外向き多条ねじを挟持する位置で螺合して第１の嵌合位置まで案内され、
次いで更に前記キャップを追加螺締した際に前記容器本体の口頭部の外面に形成された前記上下の外向き多条ねじを密接挟持する前記キャップの内面に形成した内向き多条ねじが前記下側の外向き多条ねじを乗り越えて前記挟持していた上下の外向き多条ねじの間に密接挟持される第２の嵌合位置まで案内される構成であり、
前記容器本体における前記口頭部の外周面に形成された前記外側ねじの終端部より頂部側に突設された容器本体側環状凸条および前記キャップにおける内周面に形成された前記内側ねじの頂部側の終端よりも頂部側に突設されて前記容器本体の口頭部に前記第１の嵌合位置に螺合被冠させたときに前記容器本体側環状凸条が乗り越え可能で且つ前記キャップと容器本体の前記前記第１嵌合位置で互いに係合するキャップ側環状凸条とからなる第１の締結手段と、前記容器本体における前記口頭部の外周面における前記下段の外向きねじ条の終端部より底部側に互いに所定の間隙部を介して放射状に且つ前記キャップを被冠させたときに前記キャップ内にとどまる長さに突設された複数の容器本体側凸条と、前記キャップにおける開口端の内周面に前記キャップを前記第１嵌合位置に被冠させた際に前記複数の容器本体側凸条の間隙部を通過して頂面が前記口頭部の外周面に突設された複数の容器本体側凸条の底面よりも底側に配置されるとともに前記キャップを前記に間隙部を通過して前記キャップを前記容器本体の口頭部に前記第２の嵌合位置に螺合被冠させたときに頂面が前記容器本体側凸条の底面に重なって互いに押圧保持される複数のキャップ側凸条とからなる第２の締結手段を有していることを特徴とするキャップ付き容器。
【請求項２】
前記キャップにおける頂部内面に、前記容器本体の口頭部に被冠させたときに前記容器本体の口頭部の開口端に沿う内側面に当接してキャップの内側面との間で前記容器本体における口頭部の開口端部付近を挟み支持するインナーリングが形成されていることを特徴とする請求項１記載のキャップ付き容器。
【請求項３】
前記容器本体外周の前記容器本体側凸条の底面側に前記被冠したキャップの開口端縁に沿う外形を有する円形フランジが突設されていることを特徴とする請求項１または２記載のキャップ付き容器。
【発明の詳細な説明】
【技術分野】
【０００１】
本発明は、容器本体の口頭部に形成した開口を塞ぐキャップを有するキャップ付き容器に関するものである。
【背景技術】
【０００２】
従来、内容物を容易に収納ならびに取り出し可能な容器として容器本体の口頭部に形成した開口を塞ぐキャップを有するキャップ付き容器が広く用いられている。また、キャップ付き容器では多くの場合にキャップを容易に開閉可能とするとともにキャップを閉じた状態では容器本体に収容した収容物が保管や運搬時に外部に漏れないように容器本体とキャップとに固着手段が備えられており、特に、液体のような飛散しやすい収容物については確実な締結手段が必要であり、たとえば、ねじを用いる方法が一般的に知られている。【０００３】
ねじを用いて、容器とキャップを締結する場合には、容器の開口部の外側に設けられたねじと、キャップの内側に前記外側のねじに螺合する内側ねじを、そのねじ位置を合わせて、容器もしくはキャップの一方を一定の方向に回転させることにより、ねじ山がねじ溝にガイドされて周方向に移動することにより、キャップと容器が軸方向に移動しながら締結されるものであり、容器内部の気密性を保持するために、２部材の接触箇所の一部にパッキン材料を配置して、キャップと容器本体とが螺合されることにより、容器内部が外部と分断され、密封される構造が一般的である（図示せず）。【０００４】
ところが、ねじによる締結構造だけでキャップを締結した場合に、締結後の容器に振動等が加えられた場合には、その振動により、ねじの摩擦抵抗が低下して、容器とキャップの締結構造がゆるみ、キャップと容器の密閉性が低下するとともに、場合によってはキャップが外れる心配がある。【０００５】
そのため、ねじの緩みと摩擦を高めるために、異なったリード角を有するねじ山を複数配置することにより、ねじの締結による摩擦力を高め、緩みを防止するとともに、密着性を高める構造が知られており（特許文献１）、更に、ねじによる締結手段に加えてキャップ部と容器本体の一方又はその両方が、軸方向の一定の圧力によって弾性変形を起こし、キャップの縁部に設けられた凹部に容器の凸状の環状凸条が入り込み密着することで、または、凸部が一方の凸部を乗り越えることにより、容器が係止され密着される手段を併有するものが知られており、ねじ込み部の終端に凸状の係止具を付けて、ねじの終端においてねじが戻らないようにする機構（特許文献４）、ねじ込み部の終端に環状凸条を備え、キャップ部の環状凸条が、キャップのねじ込みにより前記環状凸条を乗り越えることにより、前記ねじが安易に戻ることにより緩むのを防止するもの（特許文献２、３）、これにより、キャップの緩みを防止するとともに、ガタの発生も防止することができるもの（特許文献５）など、ねじ手段に加えて突起（突条）による係止手段を備えたキャップ付き容器が提案されているが、収容物が液体である場合や比重が大きな場合などに外部から加えられる振動などにより内容物がキャップ付近まで吹き上がることにより開封時に内容物が零れてしまうという問題があった。【０００６】
このような漏れを防止する手段として、二重のキャップを用いる方法やキャップの内側に容器本体の径よりも小さい径のインナーリングを設けるなどの手段を講じることも考えられるが、二重キャップを用いる場合には、収容物のこぼれを防止できる一方で、例えば実験等のように迅速な動きが求められる作業においては、キャップを開封後に更にキャップをはずす作業をすることは、煩雑であり、インナーリングを用いる方法でも、容器とインナーリングの間に隙間が発生することが多く、密着性に劣ることがある。【０００７】
そこで、本件出願人は、簡単な締結構造によりキャップと容器を締結しつつ、容器内部の密封性が十分に確保されるキャップ付容器を提案した（特開２０１４−９９７）。【０００８】
この本件出願人が提案したキャップ付き容器は図１に示すように、口頭部１１の外周面１１１に外側ねじ１２が形成された容器本体１と、内周面２１に前記外側ねじ１２に螺合する内側ねじ２２を形成して前記容器本体１の口頭部１１にねじ嵌合により被冠、離脱されるキャップ２とからなり、前記キャップ２を容器本体１の口頭部１１に被冠した際に前記容器本体１における口頭部１１の開口端１１２がキャップ２の頂部内面２４に密接するキャップ付き容器であって、容器本体１には口頭部１１の外周面１１１における外側ねじ１２の終端部より頂部側に容器本体側環状凸条１３が突設され、キャップ２の内周面の内側ねじ２２の頂部側の終端よりも頂部側に容器本体１の口頭部１１に螺合被冠時に容器本体側環状凸条１３が乗り越え可能で且つ乗り越えた位置で互いに係合するキャップ側環状凸条２３を備えた、いわゆるクリックストップ機構を備えたのであり、ねじによる締結手段と環状凸条による締結手段を備えることにより、ワンクリックで確実にキャップを容器本体に締結することができるものであり、従来のキャップ付き容器に比べて格段の密封性を有しているばかりかワンクリックで開閉可能であることからキャップの開閉操作も簡単であり、例えば採集したサンプル（腫瘍、血液、組織等）を一時的に保存しておくために用いられる容器のように、その性質上、例えば医療分野および研究分野において、外部の細菌や化学物質等とのコンタミネーションの防止、また、採集サンプルの外部への飛散による生物災害等の防止が要求されるため、高い密封性が求められる一方で、試験操作性の観点から、キャップの開閉が簡単に行える容器などとして使用するのに最適である。【０００９】
ところが、前記本件出願人が提案したキャップ付き容器は、例えば、多数のキャップ付き容器を立設させた状態で梱包して航空機などのような運搬時に非常に大きな重力がかかる状況下で搬送した場合など隣接して配置される容器や支持部材などが上下方向に飛翔して容器本体に被冠しているキャップの下端面に衝突し、キャップ頂部方向へ想定しないような大きな衝撃が加わる場合など少なくともキャップ側環状凸条が容器本体側環状凸条を乗り越える力が作用した場合にはキャップが外れてしまうという心配がある。このような事態が生じるのを防ぐためにキャップ側環状凸条と容器本体側環状凸条との係合を強固にすること、即ち、高さを高くして乗り越える力を大きくすることが考えられるが、開閉操作が困難になってしまい、利便性が失われてしまうという問題がある。
【先行技術文献】
【特許文献】
【００１０】
【特許文献１】ＰＣＴ/ＪＰ/２００９/００４２７６
【特許文献２】特開２０００−１０９１０４号公報
【特許文献３】実開Ｓ６３−１０７９４６号公報
【特許文献４】特開２００３−１２０１７号公報
【特許文献５】特開２０１４−９９７号公報
【発明の概要】
【発明が解決しようとする課題】
【００１１】
本発明は、前記従来のキャップ付き容器のように、簡単な締結構造によりキャップと容器を締結しつつ、容器内部の密封性が十分に確保され、かつ、開封時においても、内容物が容器本体の開口部の外側に漏れ出るようなことがないことは勿論のこと、想定しないような大きな衝撃がキャップの開放方向に加わったとしてもキャップと容器本体の締結が維持されて内容物が漏れ出るようなことがないキャップ付容器を提供することを課題とする。
【課題を解決するための手段】
【００１２】
前記課題を解決するためになされた本発明は、口頭部の外周面に外側ねじが形成された容器本体と、内周面に前記外側ねじに螺合する内側ねじを形成して前記容器本体の口頭部にねじ嵌合により被冠、離脱されるキャップとからなり、前記キャップを容器本体の口頭部に被冠した際に前記容器本体における口頭部の開口端が前記キャップの頂部内面に密接するキャップ付き容器であって、前記キャップの内周面に形成された内側ねじが所定の間隔及び角度で配置された内向き多条ねじであるとともに、前記内側ねじに螺合する前記容器本体における口頭部の外周面に形成された外側ねじが前記内向き多条ねじに合わせて所定の間隔および角度で配置された上段および下段の二段の外向き多条ねじにより形成されており、前記キャップを前記容器本体の口頭部に被冠した際に前記キャップの内周面に形成した互いに隣接する一対の内向き多条ねじが前記容器本体の口頭部の外周面に形成された前記上下の外向き多条ねじを挟持する位置で螺合して第１の嵌合位置まで案内され、次いで更に前記キャップを追加螺締した際に前記容器本体の口頭部の外周面に形成された前記上下の外向き多条ねじを密接挟持する前記キャップの内周面に形成した内向き多条ねじが前記下側の外向き多条ねじを乗り越えて前記挟持していた上下の外向き多条ねじの間に密接挟持される第２の嵌合位置まで案内される構成であり、前記容器本体における前記口頭部の外周面に形成された前記外側ねじの終端部より頂部側に突設された容器本体側環状凸条および前記キャップにおける内周面に形成された前記内側ねじの頂部側の終端よりも頂部側に突設されて前記容器本体の口頭部に前記第１の嵌合位置に螺合被冠させたときに前記容器本体側環状凸条が乗り越え可能で且つ前記キャップと容器本体の前記第１嵌合位置で互いに係合するキャップ側環状凸条とからなるクリックストップを発揮する第１の締結手段と、前記容器本体における前記口頭部の外周面における前記下段の外向きねじ条の終端部より底部側に互いに所定の間隙部を介して放射状に且つ前記キャップを被冠させたときに前記キャップ内にとどまる長さに突設された複数の容器本体側凸条と、前記キャップにおける開口端の内周面に前記キャップを前記第１嵌合位置に被冠させた際に前記複数の容器本体側凸条の間隙部を通過して頂面が前記口頭部の外周面に突設された複数の容器本体側凸条の底面よりも底側に配置されるとともに更に前記キャップを締結して前記第２の嵌合位置に螺合被冠させたときに頂面が前記容器本体側凸条の底面に重なって互いに押圧保持される複数のキャップ側凸条とからなるクリックストップを発揮する第２の締結手段を有していることを特徴とする。【００１３】
また、本発明において、前記キャップにおける頂部内面に、前記容器本体の口頭部に被冠させたときに前記容器本体の口頭部の開口端に沿う内側面に当接してキャップの内側面との間で前記容器本体における口頭部の開口端部付近を挟み支持するインナーリングが形成されていることならびに  前記容器本体外周の前記容器本体側凸条の底面側に前記被冠したキャップの開口端縁に沿う外形を有するフランジが突設されていると好ましい。
【発明の効果】
【００１４】
本発明によれば、ねじ機構として多条ねじを用いたことから少ない回転でキャップを迅速に開閉可能であるばかりか、特に、容器本体側の多条ねじを上下２段としてキャップ側の多条ねじと２段階に嵌合する構成としたので使用者に２段のクリック感を与えるので開閉操作も確実で、特に、前記２段階の嵌合状態を形成するごとにねじ機構とは異なる前記容器本体における前記口頭部の外周面に形成された前記外側ねじの終端部より頂部側に突設された容器本体側環状凸条および前記キャップにおける内周面に形成された前記内側ねじの頂部側の終端よりも頂部側に突設されて前記容器本体の口頭部に前記第１の嵌合位置に螺合被冠させたときに前記容器本体側環状凸条が乗り越え可能で且つ前記キャップと容器本体の前記第１嵌合位置で互いに係合するキャップ側環状凸条とからなる第１の締結手段と、前記容器本体における前記口頭部の外周面における前記下段の外向きねじ条の終端部より底部側に互いに所定の間隙部を介して放射状に且つ前記キャップを被冠させたときに前記キャップ内にとどまる長さに突設された複数の容器本体側凸条と、前記キャップにおける開口端の内周面に前記キャップを前記第１嵌合位置に被冠させた際に前記複数の容器本体側凸条の間隙部を通過して頂面が前記口頭部の外周面に突設された複数の容器本体側凸条の底面よりも底側に配置されるとともに前記キャップを前記に間隙部を通過して前記キャップを前記容器本体の口頭部に前記第２の嵌合位置に螺合被冠させたときに頂面が前記容器本体側凸条の底面に重なって互いに押圧保持される複数のキャップ側凸条とからなる第２の締結手段を有していることにより、前記二段に締結するねじ機構に加えて第１および第２の締結手段とが相俟ってキャップを閉鎖位置に保持するので保管時や移送時に振動などによりキャップが外れることがなく収容物の漏洩を確実に防止することができるものである。
【図面の簡単な説明】
【００１５】
【図１】本発明の好ましい実施の形態を示す正面図および断面図。
【図２】図１に示す実施の形態を示す説明図。
【図３】図１に示す実施の形態におけるキャップの斜視図。
【図４】図１に示す実施の形態における容器本体とキャップの使用状態の断面図。
【図５】本発明の異なる実施の形態を示す説明図。
【図６】従来例を示す正面図および断面図。
【図７】図６に示す従来例における容器本体とキャップの使用状態の断面図。
【発明を実施するための形態】
【００１６】
以下に、本発明の好ましい実施の形態について詳細に説明する。
図１は本発明の好ましい実施の形態を示すものであり、基本的構成は、従来のキャップ付き容器と同様に、有底で頂面を開口するとともに口頭部１１の外周面１１１に外側ねじ１２が形成された容器本体１と、内周面２１に前記外側ねじ１２に螺合する内側ねじ２２を螺締させてねじ嵌合により被冠、離脱されるキャップ２とからなり、キャップ２を容器本体１の口頭部１１に被冠した際に容器本体１における口頭部１１の開口端１１２がキャップ２の頂部内面２４に密接する。
【００１７】
そして、キャップ２の内周面２１に形成された内側ねじ２２が所定の間隔及び角度で配置された例えば６個が等間隔で配置された内向き多条ねじ２２１・・・・２２１であるととともに内側ねじ２２に螺合する容器本体１における口頭部１１の外周面１１１に形成された外側ねじ１２が前記容器本体１における内向き多条ねじ２２１の幅に合わせた間隔および内向き多条ねじ２２１の角度と同角度で且つ前記容器本体１における内向き多条ねじ２２１・・・・２２１の配置間隔内に収まる幅内に設置される上段および下段の二段一組の外向き多条ねじ１２１，１２２が中心軸を中心として３０度の角度に放射する前記内向き多条ねじ２２１に合わせて配置されており、キャップ２を容器本体１の口頭部１１に被冠した際にキャップ２の内周面２１に形成した互いに隣接する一対の外向き多条ねじ１２１，１２２が容器本体１の口頭部１１の外周面１１１に形成された上下一組の外向き多条ねじ１２１と１２２を挟持する位置で螺合して第１の嵌合位置まで案内される（図２（a）に示す状態）。
【００１８】
また、本実施の形態では、キャップ２を追加螺締した際に容器本体１の口頭部１１の外周面１１１に形成された上下の外向き多条ねじ１２１，１２２を密接挟持する前記キャップ２の内周面２１に形成した各内向き多条ねじ２２１・・・・２２１が前記挟持していた下側の外向き多条ねじ１２２・・・・１２２をそれぞれ乗り越えて前記挟持していた上下に並設されている外向き多条ねじ１２１，１２２の間に密接挟持される第２の嵌合位置まで案内される（図２（b）に示す状態）構成である。
【００１９】
また、本実施の形態では、更に、容器本体１における口頭部１１の外周面１１１に形成された外側ねじ１２である外向き多条ねじ１２１の終端部より頂部側に容器本体側環状凸条１３が突設されているとともに、キャップ２における内周面２１に形成された内側ねじ２２の頂部側の終端よりも頂部側にキャップ２を容器本体１の口頭部１１に前記第１の嵌合位置に螺合被冠させたときに前記容器本体側環状凸条１３が乗り越え可能で互いに係合する複数のキャップ側凸条２５が突設されてクリックストップを発揮する第１の締結手段３が形成されている（図３参照）。
【００２０】
更に、前記容器本体１の口頭部１１の外周面１１１における前記外側ねじ１２を形成する各下段の外向きねじ条１２２の終端部より底部側に周方向に向けて互いに所定の間隙部１４を介して放射状に且つ前記キャップ２を被冠させたときにキャップ２内にとどまる長さを有する複数の容器本体側凸条１５が互いに所定の間隔で突設されており、キャップ２には開口端の内周面２１にキャップ２を第１嵌合位置に被冠させた際に複数の容器本体側凸条１５の間隙部１４を通過して頂面が前記容器本体１における口頭部１１の外周面１１１に突設された複数の容器本体側凸条１５の底面１５１よりも底側に配置されるとともに更に前記キャップ２を締結して前記第２の嵌合位置に螺合被冠させたときに頂面２５１が前記容器本体側凸条１５の底面１５１に重なって互いに押圧保持される複数のキャップ側凸条２５とからなるクリックストップを発揮する第２の締結手段４を有している。
【００２１】
尚、本実施の形態では、前記容器本体１の口頭部１１の外周面に形成された外側ねじ１２について中心軸から３０度の角度に放射する６個が形成されているが、それらの外側ねじ１２の内で互いに対向する２組を前記上下一組の外向き多条ねじ１２１と１２２により形成するとともに他の互いに対向する１組の外側ねじ１２，１２を前記上側の外向き多条ねじ１２１と同じ高さ位置に配置した１つの外向き多条ねじ１２３，１２３により形成することによりキャップ２の締結時ならびに解放時の回転固さを調節して適度の回転トルクでキャップ２の開閉を可能としている。
【００２２】
殊に、本実施例では、１つの外向き多条ねじ１２３，１２３により形成する外側ねじ１２については、前記キャップ２の締結位置が前記第１の締結時には前記キャップ２の内周面２１に形成された内側ねじ２２の底面が外向き多条ねじ１２３の頂面に密接しており、前記第２の締結位置としたときに前記内側ねじ２２の次に移動してくる側に隣接している内側ねじ２２の頂面が多条ねじ１２３の底面に密接するものであり、前記上下一組の外向き多条ねじ１２１、１２２と同様に内側ねじ２２と嵌合してキャップ２を確実に容器本体１に締結させるものである。
【００２３】
加えて、本実施の形態では、キャップ２における内周面２１の頂部に、キャップ２を前記容器本体１の口頭部１１に被冠させたときに容器本体１の口頭部１１の開口端１１２に沿う内側面に当接してキャップの内側面との間で前記容器本体における口頭部１１の開口端１１２部付近を挟み支持するインナーリング５が形成されているので密閉性も良好である。
【００２４】
以上のように、本実施の形態は、キャップ２を容器本体１の口頭部１１に締結する手段として基本的に１条でなくリード角の大きな多条ねじを用いたので少ない回転でキャップを開閉することができ、きわめて効率がよく、例えば検体のような手際よくキャップ２を開閉して収納しなければならないような対象物を収容するのにも適している。
【００２５】
加えて、キャップ２の締結をそれぞれ感触と音を伴うクリック感を発揮させる第１の締結手段３と第２の締結手段４の二段階に締結する構成とすることにより、締結を確実にしてキャップ２の閉め忘れによる漏れを防止することができる。
【００２６】
更にまた、図５（ａ）（ｂ）は本発明の異なる実施の形態を示すものであり、図５（ｃ）は図１乃至図４に示した本発明の好ましい実施の形態を示すものである。図５（ａ）（ｂ）に示した本発明の異なる実施の形態は、容器本体１における外周面１１の容器本体側凸条の底面側に前記被冠したキャップ２の開口端縁に沿う外形を有するフランジ６が突設されているものであり、特に運搬時などにおいて並設させた状態の他のキャップ付き容器が上下方向に振動した場合などにおいて、キャップ２の部分が想定しないような大きな力で押し上げられてもキャップ付き容器全体が押し上げられてもキャップ２には開放方向の力が作用しないので搬送時や保管時において衝撃によるキャップ２の開放を確実に防止することができる。
【符号の説明】
【００２７】
１ 容器本体、２ キャップ、３ 第１の締結手段、４ 第２の締結手段、５ インナーリング、６ フランジ、１１ 口頭部、１２ 外側ねじ、１３ 容器本体側環状凸条、１４ 間隙部、１５ 容器本体側凸条、 ２１ 内周面、２２ 内側ねじ、２３ キャップ側環状凸条、２４ 頂部内面、２５ キャップ側凸条、１１１ 外周面、１１２ 開口端、１２１ 外向き多条ねじ、１２２ 外向き多条ねじ、 １２３ 外向き多条ねじ、２２１ 内向き多条ねじ
【図１】
2015186153.tif 000003
【図２】
2015186153.tif 000004
【図３】
2015186153.tif 000005
【図４】
2015186153.tif 000006
【図５】
2015186153.tif 000007
【図６】
2015186153.tif 000008
【図７】
2015186153.tif 000009
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
口頭部の外周面に外側ねじが形成された容器本体と、内周面に前記外側ねじに螺合する内側ねじを形成して前記容器本体の口頭部にねじ嵌合により被冠、離脱されるキャップとからなり、前記キャップを容器本体の口頭部に被冠した際に前記容器本体における口頭部の開口端が前記キャップの頂部内面に密接するキャップ付き容器であって、前記キャップの内周面に形成された内側ねじが所定の間隔及び角度で配置された内向き多条ねじであるととともに前記内側ねじに螺合する前記容器本体における口頭部の外周面に形成された外側ねじが前記内向き多条ねじに合わせて所定の間隔および角度で配置された上段および下段の二段の外向き多条ねじにより形成されており、前記キャップを前記容器本体の口頭部に被冠した際に前記キャップの内周面に形成した互いに隣接する一対の内向き多条ねじが前記容器本体の口頭部の外周面に形成された前記上下の外向き多条ねじを挟持する位置で螺合して第１の嵌合位置まで案内され、次いで更に前記キャップを追加螺締した際に前記容器本体の口頭部の外周面に形成された前記上下の外向き多条ねじを密接挟持する前記キャップの内周面に形成した内向き多条ねじが前記下側の外向き多条ねじを乗り越えて前記挟持していた上下の外向き多条ねじの間に密接挟持される第２の嵌合位置まで案内される構成であり、前記容器本体における前記口頭部の外周面に形成された前記外側ねじの終端部より頂部側に突設された容器本体側環状凸条および前記キャップにおける内周面に形成された前記内側ねじの頂部側の終端よりも頂部側に突設されて前記容器本体の口頭部に前記第１の嵌合位置に螺合被冠させたときに前記容器本体側環状凸条が乗り越え可能で且つ前記キャップと容器本体の前記第１嵌合位置で互いに係合するキャップ側環状凸条とからなるクリックストップを発揮する第１の締結手段と、前記容器本体における前記口頭部の外周面における前記下段の外向き多条ねじの終端部より底部側に互いに所定の間隙部を介して放射状に且つ前記キャップを被冠させたときに前記キャップ内にとどまる長さに突設された複数の容器本体側凸条と、前記キャップにおける開口端の内周面に前記キャップを前記第１嵌合位置に被冠させた際に前記複数の容器本体側凸条の間隙部を通過して頂面が前記口頭部の外周面に突設された複数の容器本体側凸条の底面よりも底側に配置されるとともに前記キャップを前記間隙部を通過して前記キャップを前記容器本体の口頭部に前記第２の嵌合位置に螺合被冠させたときに頂面が前記容器本体側凸条の底面に重なって互いに押圧保持される複数のキャップ側凸条とからなるクリックストップを発揮する第２の締結手段を有していることを特徴とするキャップ付き容器。
【請求項２】
前記キャップにおける頂部内面に、前記容器本体の口頭部に被冠させたときに前記容器本体の口頭部の開口端に沿う内側面に当接してキャップの内側面との間で前記容器本体における口頭部の開口端部付近を挟み支持するインナーリングが形成されていることを特徴とする請求項１記載のキャップ付き容器。
【請求項３】
前記容器本体外周の前記容器本体側凸条の底面側に前記被冠したキャップの開口端縁に沿う外形を有する円形フランジが突設されていることを特徴とする請求項１または２記載のキャップ付き容器。
【手続補正２】
【補正対象書類名】明細書
【補正対象項目名】全文
【補正方法】変更
【補正の内容】
【発明の詳細な説明】
【技術分野】
【０００１】
本発明は、容器本体の口頭部に形成した開口を塞ぐキャップを有するキャップ付き容器に関するものである。
【背景技術】
【０００２】
従来、内容物を容易に収納ならびに取り出し可能な容器として容器本体の口頭部に形成した開口を塞ぐキャップを有するキャップ付き容器が広く用いられている。また、キャップ付き容器では多くの場合にキャップを容易に開閉可能とするとともにキャップを閉じた状態では容器本体に収容した収容物が保管や運搬時に外部に漏れないように容器本体とキャップとに固着手段が備えられており、特に、液体のような飛散しやすい収容物については確実な締結手段が必要であり、たとえば、ねじを用いる方法が一般的に知られている。
【０００３】
ねじを用いて、容器とキャップを締結する場合には、容器の開口部の外側に設けられたねじと、キャップの内側に前記外側のねじに螺合する内側ねじを、そのねじ位置を合わせて、容器もしくはキャップの一方を一定の方向に回転させることにより、ねじ山がねじ溝にガイドされて周方向に移動することにより、キャップと容器が軸方向に移動しながら締結されるものであり、容器内部の気密性を保持するために、２部材の接触箇所の一部にパッキン材料を配置して、キャップと容器本体とが螺合されることにより、容器内部が外部と分断され、密封される構造が一般的である（図示せず）。
【０００４】
ところが、ねじによる締結構造だけでキャップを締結した場合に、締結後の容器に振動等が加えられた場合には、その振動により、ねじの摩擦抵抗が低下して、容器とキャップの締結構造がゆるみ、キャップと容器の密閉性が低下するとともに、場合によってはキャップが外れる心配がある。
【０００５】
そのため、ねじの緩みと摩擦を高めるために、異なったリード角を有するねじ山を複数配置することにより、ねじの締結による摩擦力を高め、緩みを防止するとともに、密着性を高める構造が知られており（特許文献１）、更に、ねじによる締結手段に加えてキャップ部と容器本体の一方又はその両方が、軸方向の一定の圧力によって弾性変形を起こし、キャップの縁部に設けられた凹部に容器の凸状の環状凸条が入り込み密着することで、または、凸部が一方の凸部を乗り越えることにより、容器が係止され密着される手段を併有するものも知られており、ねじ込み部の終端に凸状の係止具を付けて、ねじの終端においてねじが戻らないようにする機構（特許文献４）、ねじ込み部の終端に環状凸条を備え、キャップ部の環状凸条が、キャップのねじ込みにより前記環状凸条を乗り越えることにより、前記ねじが安易に戻ることにより緩むのを防止するもの（特許文献２、３）、これにより、キャップの緩みを防止するとともに、ガタの発生も防止することができるもの（特許文献５）など、ねじ手段に加えて突起（突条）による係止手段を備えたキャップ付き容器が提案されているが、収容物が液体である場合や比重が大きな場合などに外部から加えられる振動などにより内容物がキャップ付近まで吹き上がることにより開封時に内容物が零れてしまうという問題があった。
【０００６】
このような漏れを防止する手段として、二重のキャップを用いる方法やキャップの内側に容器本体の径よりも小さい径のインナーリングを設けるなどの手段を講じることも考えられるが、二重キャップを用いる場合には、収容物のこぼれを防止できる一方で、例えば実験等のように迅速な動きが求められる作業においては、キャップを開封後に更にキャップをはずす作業をすることは、煩雑であり、インナーリングを用いる方法でも、容器とインナーリングの間に隙間が発生することが多く、密着性に劣ることがある。
【０００７】
そこで、本件出願人は、簡単な締結構造によりキャップと容器を締結しつつ、容器内部の密封性が十分に確保されるキャップ付容器を提案した（特開２０１４−９９７）。
【０００８】
この本件出願人が提案したキャップ付き容器は図１に示すように、口頭部１１の外周面１１１に外側ねじ１２が形成された容器本体１と、内周面２１に前記外側ねじ１２に螺合する内側ねじ２２を形成して前記容器本体１の口頭部１１にねじ嵌合により被冠、離脱されるキャップ２とからなり、前記キャップ２を容器本体１の口頭部１１に被冠した際に前記容器本体１における口頭部１１の開口端１１２がキャップ２の頂部内面２４に密接するキャップ付き容器であって、容器本体１には口頭部１１の外周面１１１における外側ねじ１２の終端部より頂部側に容器本体側環状凸条１３が突設され、キャップ２の内周面の内側ねじ２２の頂部側の終端よりも頂部側に容器本体１の口頭部１１に螺合被冠時に容器本体側環状凸条１３が乗り越え可能で且つ乗り越えた位置で互いに係合するキャップ側環状凸条２３を備えた、いわゆるクリックストップ機構を備えたのであり、ねじによる締結手段と環状凸条による締結手段を備えることにより、ワンクリックで確実にキャップを容器本体に締結することができるものであり、従来のキャップ付き容器に比べて格段の密封性を有しているばかりかワンクリックで開閉可能であることからキャップの開閉操作も簡単であり、例えば採集したサンプル（腫瘍、血液、組織等）を一時的に保存しておくために用いられる容器のように、その性質上、例えば医療分野および研究分野において、外部の細菌や化学物質等とのコンタミネーションの防止、また、採集サンプルの外部への飛散による生物災害等の防止が要求されるため、高い密封性が求められる一方で、試験操作性の観点から、キャップの開閉が簡単に行える容器などとして使用するのに最適である。
【０００９】
ところが、前記本件出願人が提案したキャップ付き容器は、例えば、多数のキャップ付き容器を立設させた状態で梱包して航空機などのような運搬時に非常に大きな重力がかかる状況下で搬送した場合など隣接して配置される容器や支持部材などが上下方向に飛翔して容器本体に被冠しているキャップの下端面に衝突し、キャップ頂部方向へ想定しないような大きな衝撃が加わる場合など少なくともキャップ側環状凸条が容器本体側環状凸条を乗り越える力が作用した場合にはキャップが外れてしまうという心配がある。このような事態が生じるのを防ぐためにキャップ側環状凸条と容器本体側環状凸条との係合を強固にすること、即ち、高さを高くして乗り越える力を大きくすることが考えられるが、開閉操作が困難になってしまい、利便性が失われてしまうという問題がある。
【先行技術文献】
【特許文献】
【００１０】
【特許文献１】ＰＣＴ／ＪＰ／２００９／００４２７６
【特許文献２】特開２０００−１０９１０４号公報
【特許文献３】実開Ｓ６３−１０７９４６号公報
【特許文献４】特開２００３−１２０１７号公報
【特許文献５】特開２０１４−９９７号公報
【発明の概要】
【発明が解決しようとする課題】
【００１１】
本発明は、前記従来のキャップ付き容器のように、簡単な締結構造によりキャップと容器を締結しつつ、容器内部の密封性が十分に確保され、かつ、開封時においても、内容物が容器本体の開口部の外側に漏れ出るようなことがないことは勿論のこと、想定しないような大きな衝撃がキャップの開放方向に加わったとしてもキャップと容器本体の締結が維持されて内容物が漏れ出るようなことがないキャップ付容器を提供することを課題とする。
【課題を解決するための手段】
【００１２】
前記課題を解決するためになされた本発明は、口頭部の外周面に外側ねじが形成された容器本体と、内周面に前記外側ねじに螺合する内側ねじを形成して前記容器本体の口頭部にねじ嵌合により被冠、離脱されるキャップとからなり、前記キャップを容器本体の口頭部に被冠した際に前記容器本体における口頭部の開口端が前記キャップの頂部内面に密接するキャップ付き容器であって、前記キャップの内周面に形成された内側ねじが所定の間隔及び角度で配置された内向き多条ねじであるとともに、前記内側ねじに螺合する前記容器本体における口頭部の外周面に形成された外側ねじが前記内向き多条ねじに合わせて所定の間隔および角度で配置された上段および下段の二段の外向き多条ねじにより形成されており、前記キャップを前記容器本体の口頭部に被冠した際に前記キャップの内周面に形成した互いに隣接する一対の内向き多条ねじが前記容器本体の口頭部の外周面に形成された前記上下の外向き多条ねじを挟持する位置で螺合して第１の嵌合位置まで案内され、次いで更に前記キャップを追加螺締した際に前記容器本体の口頭部の外周面に形成された前記上下の外向き多条ねじを密接挟持する前記キャップの内周面に形成した内向き多条ねじが前記下側の外向き多条ねじを乗り越えて前記挟持していた上下の外向き多条ねじの間に密接挟持される第２の嵌合位置まで案内される構成であり、前記容器本体における前記口頭部の外周面に形成された前記外側ねじの終端部より頂部側に突設された容器本体側環状凸条および前記キャップにおける内周面に形成された前記内側ねじの頂部側の終端よりも頂部側に突設されて前記容器本体の口頭部に前記第１の嵌合位置に螺合被冠させたときに前記容器本体側環状凸条が乗り越え可能で且つ前記キャップと容器本体の前記第１嵌合位置で互いに係合するキャップ側環状凸条とからなるクリックストップを発揮する第１の締結手段と、前記容器本体における前記口頭部の外周面における前記下段の外向き多条ねじの終端部より底部側に互いに所定の間隙部を介して放射状に且つ前記キャップを被冠させたときに前記キャップ内にとどまる長さに突設された複数の容器本体側凸条と、前記キャップにおける開口端の内周面に前記キャップを前記第１嵌合位置に被冠させた際に前記複数の容器本体側凸条の間隙部を通過して頂面が前記口頭部の外周面に突設された複数の容器本体側凸条の底面よりも底側に配置されるとともに更に前記キャップを締結して前記第２の嵌合位置に螺合被冠させたときに頂面が前記容器本体側凸条の底面に重なって互いに押圧保持される複数のキャップ側凸条とからなるクリックストップを発揮する第２の締結手段を有していることを特徴とする。
【００１３】
また、本発明において、前記キャップにおける頂部内面に、前記容器本体の口頭部に被冠させたときに前記容器本体の口頭部の開口端に沿う内側面に当接してキャップの内側面との間で前記容器本体における口頭部の開口端部付近を挟み支持するインナーリングが形成されていることならびに前記容器本体外周の前記容器本体側凸条の底面側に前記被冠したキャップの開口端縁に沿う外形を有するフランジが突設されていると好ましい。
【発明の効果】
【００１４】
本発明によれば、ねじ機構として多条ねじを用いたことから少ない回転でキャップを迅速に開閉可能であるばかりか、特に、容器本体側の多条ねじを上下２段としてキャップ側の多条ねじと２段階に嵌合する構成としたので使用者に２段のクリック感を与えるので開閉操作も確実で、特に、前記２段階の嵌合状態を形成するごとにねじ機構とは異なる前記容器本体における前記口頭部の外周面に形成された前記外側ねじの終端部より頂部側に突設された容器本体側環状凸条および前記キャップにおける内周面に形成された前記内側ねじの頂部側の終端よりも頂部側に突設されて前記容器本体の口頭部に前記第１の嵌合位置に螺合被冠させたときに前記容器本体側環状凸条が乗り越え可能で且つ前記キャップと容器本体の前記第１嵌合位置で互いに係合するキャップ側環状凸条とからなる第１の締結手段と、前記容器本体における前記口頭部の外周面における前記下段の外向き多条ねじの終端部より底部側に互いに所定の間隙部を介して放射状に且つ前記キャップを被冠させたときに前記キャップ内にとどまる長さに突設された複数の容器本体側凸条と、前記キャップにおける開口端の内周面に前記キャップを前記第１嵌合位置に被冠させた際に前記複数の容器本体側凸条の間隙部を通過して頂面が前記口頭部の外周面に突設された複数の容器本体側凸条の底面よりも底側に配置されるとともに前記キャップを前記に間隙部を通過して前記キャップを前記容器本体の口頭部に前記第２の嵌合位置に螺合被冠させたときに頂面が前記容器本体側凸条の底面に重なって互いに押圧保持される複数のキャップ側凸条とからなる第２の締結手段を有していることにより、前記二段に締結するねじ機構に加えて第１および第２の締結手段とが相俟ってキャップを閉鎖位置に保持するので保管時や移送時に振動などによりキャップが外れることがなく収容物の漏洩を確実に防止することができるものである。
【図面の簡単な説明】
【００１５】
【図１】本発明の好ましい実施の形態を示す正面図および断面図。
【図２】図１に示す実施の形態を示す説明図。
【図３】図１に示す実施の形態におけるキャップの斜視図。
【図４】図１に示す実施の形態における容器本体とキャップの使用状態の断面図。
【図５】本発明の異なる実施の形態を示す説明図。
【図６】従来例を示す正面図および断面図。
【図７】図６に示す従来例における容器本体とキャップの使用状態の断面図。
【発明を実施するための形態】
【００１６】
以下に、本発明の好ましい実施の形態について詳細に説明する。
図１は本発明の好ましい実施の形態を示すものであり、基本的構成は、従来のキャップ付き容器と同様に、有底で頂面を開口するとともに口頭部１１の外周面１１１に外側ねじ１２が形成された容器本体１と、内周面２１に前記外側ねじ１２に螺合する内側ねじ２２を螺締させてねじ嵌合により被冠、離脱されるキャップ２とからなり、キャップ２を容器本体１の口頭部１１に被冠した際に容器本体１における口頭部１１の開口端１１２がキャップ２の頂部内面２４に密接する。
【００１７】
そして、キャップ２の内周面２１に形成された内側ねじ２２が所定の間隔及び角度で配置された例えば６個が等間隔で配置された内向き多条ねじ２２１・・・・２２１であるととともに内側ねじ２２に螺合する容器本体１における口頭部１１の外周面１１１に形成された外側ねじ１２が前記容器本体１における内向き多条ねじ２２１の幅に合わせた間隔および内向き多条ねじ２２１の角度と同角度で且つ前記容器本体１における内向き多条ねじ２２１・・・・２２１の配置間隔内に収まる幅内に設置される上段および下段の二段一組の外向き多条ねじ１２１，１２２が中心軸を中心として３０度の角度に放射する前記内向き多条ねじ２２１に合わせて配置されており、キャップ２を容器本体１の口頭部１１に被冠した際にキャップ２の内周面２１に形成した互いに隣接する一対の内向き多条ねじ２２１が容器本体１の口頭部１１の外周面１１１に形成された上下一組の外向き多条ねじ１２１と１２２を挟持する位置で螺合して第１の嵌合位置まで案内される（図２（ａ）に示す状態）。
【００１８】
また、本実施の形態では、キャップ２を追加螺締した際に容器本体１の口頭部１１の外周面１１１に形成された上下の外向き多条ねじ１２１，１２２を密接挟持する前記キャップ２の内周面２１に形成した各内向き多条ねじ２２１・・・・２２１は、当該各内向き多条ねじ２２１・・・・２２１によって挟持されていた下側の外向き多条ねじ１２２・・・・１２２をそれぞれ乗り越えて当該各内向き多条ねじ２２１・・・・２２１によって挟持されていた上下に並設されている外向き多条ねじ１２１，１２２の間に密接挟持される第２の嵌合位置まで案内される（図２（ｂ）に示す状態）構成である。
【００１９】
また、本実施の形態では、更に、容器本体１における口頭部１１の外周面１１１に形成された外側ねじ１２である外向き多条ねじ１２１の終端部より頂部側に容器本体側環状凸条１３が突設されているとともに、キャップ２における内周面２１に形成された内側ねじ２２の頂部側の終端よりも頂部側にキャップ２を容器本体１の口頭部１１に前記第１の嵌合位置に螺合被冠させたときに前記容器本体側環状凸条１３が乗り越え可能で互いに係合する複数のキャップ側環状凸条２３が突設されてクリックストップを発揮する第１の締結手段３が形成されている（図３及び図４参照）。
【００２０】
更に、前記容器本体１の口頭部１１の外周面１１１における前記外側ねじ１２を形成する各下段の外向き多条ねじ１２２の終端部より底部側に周方向に向けて互いに所定の間隙部１４を介して放射状に且つ前記キャップ２を被冠させたときにキャップ２内にとどまる長さを有する複数の容器本体側凸条１５が互いに所定の間隔で突設されており、キャップ２には開口端の内周面２１にキャップ２を第１嵌合位置に被冠させた際に複数の容器本体側凸条１５の間隙部１４を通過して頂面が前記容器本体１における口頭部１１の外周面１１１に突設された複数の容器本体側凸条１５の底面１５１よりも底側に配置されるとともに更に前記キャップ２を締結して前記第２の嵌合位置に螺合被冠させたときに頂面２５１が前記容器本体側凸条１５の底面１５１に重なって互いに押圧保持される複数のキャップ側凸条２５とからなるクリックストップを発揮する第２の締結手段４を有している。
【００２１】
尚、本実施の形態では、前記容器本体１の口頭部１１の外周面１１１に形成された外側ねじ１２について中心軸から６０度の角度に放射する６個が形成されているが、それらの外側ねじ１２の内で互いに対向する２組を前記上下一組の外向き多条ねじ１２１と１２２により形成するとともに他の互いに対向する１組の外側ねじ１２，１２を前記上側の外向き多条ねじ１２１と同じ高さ位置に配置した１つの外向き多条ねじ１２３，１２３により形成することによりキャップ２の締結時ならびに解放時の回転固さを調節して適度の回転トルクでキャップ２の開閉を可能としている。
【００２２】
殊に、本実施例では、１つの外向き多条ねじ１２３，１２３により形成する外側ねじ１２については、前記キャップ２の締結位置が前記第１の締結時には前記キャップ２の内周面２１に形成された内側ねじ２２の底面が外向き多条ねじ１２３の頂面に密接しており、前記第２の締結位置としたときに前記内側ねじ２２の次に移動してくる側に隣接している内側ねじ２２の頂面が多条ねじ１２３の底面に密接するものであり、前記上下一組の外向き多条ねじ１２１、１２２と同様に内側ねじ２２と嵌合してキャップ２を確実に容器本体１に締結させるものである。
【００２３】
加えて、本実施の形態では、キャップ２における内周面２１の頂部に、キャップ２を前記容器本体１の口頭部１１に被冠させたときに容器本体１の口頭部１１の開口端１１２に沿う内側面に当接してキャップの内側面との間で前記容器本体における口頭部１１の開口端１１２部付近を挟み支持するインナーリング５が形成されているので密閉性も良好である。
【００２４】
以上のように、本実施の形態は、キャップ２を容器本体１の口頭部１１に締結する手段として基本的に１条でなくリード角の大きな多条ねじを用いたので少ない回転でキャップを開閉することができ、きわめて効率がよく、例えば検体のような手際よくキャップ２を開閉して収納しなければならないような対象物を収容するのにも適している。
【００２５】
加えて、キャップ２の締結をそれぞれ感触と音を伴うクリック感を発揮させる第１の締結手段３と第２の締結手段４の二段階に締結する構成とすることにより、締結を確実にしてキャップ２の閉め忘れによる漏れを防止することができる。
【００２６】
更にまた、図５（ａ）（ｂ）は本発明の異なる実施の形態を示すものであり、図５（ｃ）は図１乃至図４に示した本発明の好ましい実施の形態を示すものである。図５（ａ）（ｂ）に示した本発明の異なる実施の形態は、容器本体１における外周面１１１の容器本体側凸条１５の底面側に前記被冠したキャップ２の開口端縁に沿う外形を有するフランジ６が突設されているものであり、特に運搬時などにおいて並設させた状態の他のキャップ付き容器が上下方向に振動した場合などにおいて、キャップ２の部分が想定しないような大きな力で押し上げられてもキャップ付き容器全体が押し上げられてもキャップ２には開放方向の力が作用しないので搬送時や保管時において衝撃によるキャップ２の開放を確実に防止することができる。
【符号の説明】
【００２７】
１  容器本体、２  キャップ、３  第１の締結手段、４  第２の締結手段、５  インナーリング、６  フランジ、１１  口頭部、１２  外側ねじ、１３  容器本体側環状凸条、１４  間隙部、１５  容器本体側凸条、２１  内周面、２２  内側ねじ、２３  キャップ側環状凸条、２４  頂部内面、２５  キャップ側凸条、１１１  外周面、１１２  開口端、１２１  外向き多条ねじ、１２２  外向き多条ねじ、１２３  外向き多条ねじ、２２１  内向き多条ねじ
【国際調査報告】
2015186153.tif 000010
2015186153.tif 000011
2015186153.tif 000012
2015186153.tif 000013